(57)【要約】【課題】ライトを振動や熱から保護する。【解決手段】出力部を覆っている駆動部ケース１１の外面に、作業対象箇所の照明用のライト５を配している電動工具である。上記ライト６と駆動部ケース１１の外面との間に弾性体１４を介在させている。駆動部ケースからの振動や熱の影響をライト５が受けにくく、また弾性体１４の存在により、駆動部ケース１１外面へのライト５の装着を隙間無く行って防塵防水性を高めることが容易である。【選択図】図１
2005040934.tif 000002
【特許請求の範囲】
【請求項１】
出力部を覆っている駆動部ケースの外面に、作業対象箇所の照明用のライトを配しているライト付き電動工具において、上記ライトと駆動部ケースの外面との間に弾性体を介在させていることを特徴とするライト付き電動工具。
【請求項２】
上記弾性体は駆動部ケースの外面を被覆している保護カバーであることを特徴とする請求項１記載のライト付き電動工具。
【請求項３】
上記弾性体は断熱性を有していることを特徴とする請求項１または２記載のライト付き電動工具。
【発明の詳細な説明】
【技術分野】
【０００１】
本発明は、照明のためのライトを備えているライト付き電動工具に関するものである。
【背景技術】
【０００２】
暗所での作業を容易にするために、作業対象箇所を照らすためのライトを備えている電動工具がある（特許文献１参照）。この場合、ライトは工具ビット先端付近を効率良く照らすために、特許文献１にも示されているように、電動工具における出力軸を保持している駆動部ケースの外周部に配置することになる。
【０００３】
しかし、電動工具がインパクトドライバーのような振動を伴うものである場合、金属製である上記駆動部ケースは、振動や熱を伝えやすいことから、ライトの発光部やリード線が断線したり焼き切れたりする虞が高いものとなっている。
【０００４】
また、駆動部ケースの断面形状が円形の場合、その外周面にライトを隙間無く装着することが困難であり、これ故に生じた隙間からエッジのある異物が入って断線したり、水が入ってショートしてしまう虞がある。
【特許文献１】特開２００３−１４５４３９号公報
【発明の開示】
【発明が解決しようとする課題】
【０００５】
本発明は上記の従来の問題点に鑑みて発明したものであって、ライトを振動や熱から保護することができるとともに、防塵防水性を高めることができるライト付き電動工具を提供することを他の課題とするものである。
【課題を解決するための手段】
【０００６】
上記課題を解決するために本発明は、出力部を覆っている駆動部ケースの外面に、作業対象箇所の照明用のライトを配しているライト付き電動工具において、上記ライトと駆動部ケースの外面との間に弾性体を介在させていることに特徴を有している。駆動部ケースからの振動や熱の影響を受けにくくしたものであり、また弾性体の存在により、駆動部ケース外面へのライトの装着を隙間無く行うことを容易にしたものである。
【０００７】
上記弾性体には、駆動部ケースの外面を被覆している保護カバーを流用することができる。
【０００８】
また、上記弾性体が断熱性を有していると、熱の影響をより確実に避けることができる。
【発明の効果】
【０００９】
本発明は、ライトと駆動部ケースの外面との間に介在している弾性体が、駆動部ケースからの振動や熱の影響がライトに生じることを抑制するために、ライトを振動や熱から保護することができて、ライトの断線や焼き切れ等を防ぐことができるものであり、また弾性体の存在により、駆動部ケース外面へのライトの装着を隙間無く行うことが容易となって、ライト回りの防塵防水性を高めることができる。
【発明を実施するための最良の形態】
【００１０】
以下、本発明を添付図面に示す実施形態に基いて説明すると、図２に示す電動工具は、モータ及び駆動機構を内蔵する本体部１と一体のグリップ部１０の下端に電池パック１５を着脱自在に装着した電動インパクトドライバーであり、グリップ１０の上端部にトリガースイッチ１６と回転方向切換レバー１７とを備えており、本体部１の前端にはドライバービット９を保持するチャック２０を備えている。図２中の１９はグリップ部１０の下端部に配設したフックである。
【００１１】
上記本体部１及びグリップ部１０は、左右二つ割のハウジング１ａ，１ｂに、出力軸２が先端から突出するインパクト駆動機構３を覆う駆動部ケース１１を連結したものとして形成されており、金属製である駆動部ケース１１の外面には保護カバー１３，１４が装着されている。これら保護カバー１３，１４は、弾性及び断熱性を有する材料、たとえばウレタンゴムで形成されたものであり、前端側の保護カバー１３は駆動部ケース１１に対して着脱自在とされて、図３に示すアタッチメント６の装着は、保護カバー１３を取り外した状態で行われる。
【００１２】
上記アタッチメント６は、締め付け深さの調整用のアジャスターであって、駆動部ケース１１の前端部外周に固定される取付部６０と、この取付部６０に螺合して螺進退で前後に移動するアジャスト部６５で構成されたものである。
【００１３】
作業対象箇所の照明用であるライト５は、駆動部ケース１１の外周部でグリップ部１０の上端前方位置に取り付けられているのであるが、透明樹脂製のレンズブロック５０と、このレンズブロック５０に設けられた発光体収納凹部内に配された高輝度発光ダイオード５１とからなる該ライト５５は、前記ハウジング１ａ，１ｂとの係合部を備えている取付枠５５を介して取り付けられている。
【００１４】
この時、取付枠５５を含むライト５は、図１(b)及び図５から明らかなように、駆動部ケース１１に直接接触することはなく、弾性体で形成されている保護カバー１４がライト５の前端部及び両側部と駆動部ケース１１との間に介在する状態で取り付けられているとともに、保護カバー１４が介在しないライト５の中央部上面と駆動部ケース１１との間には空間が空けられている。
【００１５】
トリガースイッチ１６の操作でモータを駆動している時には常時点灯するように構成されている上記ライト５は、インパクト駆動機構３が発生する振動及び熱を本来であれば駆動部ケース１１を介して受けてしまうのであるが、ここでは弾性体からなるとともに断熱性を有している保護カバー１４が駆動部ケース１１との間に介在しているために、ライト５に伝わる振動及び熱が抑制されているものであり、このためにライト５の断線や焼き切れ等が生じにくくなっている。
【００１６】
また、断面円形である駆動部ケース１１の外面にライト５を配置する場合、両者の間に隙間が生じて、異物や水がライト内に侵入しやすいのであるが、弾性を有している保護カバー１４が介在するために、防塵防水性の向上も得ることができる。
【００１７】
さらに、保護カバー１４は、使用者が作業に際して手を当てることが多い本体部１の前端部、つまりは駆動部ケース１１外面を覆って振動や熱が使用者に直接伝わることがないようにしている部材であるとともに、電動工具を所持及び搬送する時に滑り止めとして機能しているものであるが、この保護カバー１４の一部をライト５と駆動部ケース１１との間に介在させていることから、ライト５の保護用に別途弾性体を用意する必要がないものとなっている。
【図面の簡単な説明】
【００１８】
【図１】本発明の実施の形態の一例を示すもので、(a)は要部縦断面図、(b)は拡大断面図である。
【図２】同上の側面図である。
【図３】同上のアタッチメント装着時の斜視図である。
【図４】同上の要部水平断面図である。
【図５】同上の横断面図である。
【符号の説明】
【００１９】
１  本体
５  ライト
１１  駆動部ケース
１４  保護カバー（弾性体）
【図１】
2005040934.tif 000003
【図２】
2005040934.tif 000004
【図３】
2005040934.tif 000005
【図４】
2005040934.tif 000006
【図５】
2005040934.tif 000007